【事件の表示】
　特許第３３３４８３１号「インクジェットプリンタおよびインクジェットヘッドのメンテナンス方法」の請求項１ないし６に係る特許に対する特許異議の申立てについて、次のとおり決定する。
【結　論】
　訂正を認める。
　特許第３３３４８３１号の請求項１ないし４に係る特許を取り消す。
【理　由】
第１　手続の経緯
　本件特許の出願から本決定に至るまでの主立った経緯を箇条書きにすると次のとおりである。
・平成７年５月１日　特許権者により本件出願（特願平７−１０７２２８）
・平成１４年８月２日　特許第３３３４８３１号として設定登録（請求項１〜６）
・平成１５年４月１１日　特許異議申立人黒田義治より請求項１〜６の特許に対して特許異議申立
・同年６月１１日付け　当審にて請求項１〜６の特許に対して取消理由通知
・同年８月１９日　特許権者より特許異議意見書及び訂正請求書提出（以下、この訂正請求書による訂正を「本件訂正」という。）
　
第２　訂正の可否の判断
１．訂正の内容
　特許権者が求める訂正は次のとおりである。
［訂正事項１］訂正前請求項１記載の「インクジェットヘッドを前記ワイパーに達する前に、ヘッドギャップ調整手段で決められた姿勢と無関係な一定の姿勢となるように矯正する姿勢矯正手段」との記載を、「インクジェットヘッドが前記ワイパーに達する前に、ギャップセット部材をガイドから隔離するようにギャップセット部材に設けられた係合部を移動案内し、ヘッドギャップ調整手段で決められた姿勢と無関係な一定の姿勢となるようにインクジェットヘッドを矯正する姿勢矯正手段」と訂正する。
［訂正事項２］訂正前請求項２及び請求項５を削除する。
［訂正事項３］訂正前請求項３を請求項２と改めた上で、「請求項１、２において、前記姿勢矯正手段は、ギャップセット部材に一体的に設けられた係合部」との記載を、「請求項１において、前記姿勢矯正手段は、ヘッドギャップ調整手段に用いられるギャップセット部材に一体的に設けられた係合部」と訂正する。
［訂正事項４］訂正前請求項４を請求項３と改めた上で、「メンテナンス方法であって、」との記載に続けて、改行及び１字空白挿入後、「前記インクジェットのメンテナンスを行なう場合にギャップセット部材をガイドから隔離するようにギャップセット部材に設けられた係合部を姿勢矯正手段で移動案内し、」との記載を加入する。
［訂正事項５］訂正前請求項６を請求項４と改めた上で、「請求項４、５において、前記姿勢矯正手段は、ギャップセット部材に一体的に設けられた係合部」との記載を、「請求項３において、前記姿勢矯正手段は、ヘッドギャップ調整手段に用いられるギャップセット部材に一体的に設けられた係合部」と訂正する。
［訂正事項６］明細書の段落【００１５】の記載を、
「【課題を解決するための手段】
　請求項１の発明は、インクジェットヘッドを搭載しキャリッジシャフト及びガイドに沿って印字領域内外を移動可能であるとともに、キャリッジシャフトを中心に回動可能なキャリッジと、
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーとキャップとを有するメンテナンス部と、
　インクジェットヘッドのメンテナンスを行う場合にインクジェットヘッドが前記ワイパーに達する前に、ギャップセット部材をガイドから隔離するようにギャップセット部材に設けられた係合部を移動案内し、ヘッドギャップ調整手段で決められた姿勢と無関係な一定の姿勢となるようにインクジェットヘッドを矯正する姿勢矯正手段と、
　を備え、
　前記ワイパーを前記一定の姿勢に矯正されたインクジェットヘッドをワイピング可能に設けるとともに、前記キャップを当該インクジェットヘッドをキャッピング可能に設けたことを特徴とする。
　また、請求項３の発明は、インクジェットヘッドを搭載しキャリッジシャフト及びガイドに沿って印字領域内外を移動可能であるとともに、キャリッジシャフトを中心に回動可能なキャリッジと、
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーを有するメンテナンス部と、
　インクジェットヘッドのメンテナンスを行う場合にインクジェットヘッドをワイパーに達する前に一定の姿勢となるように矯正する姿勢矯正手段と、
　を備えたインクジェットプリンタにおけるインクジェットヘッドのメンテナンス方法であって、
　前記インクジェットのメンテナンスを行なう場合にギャップセット部材をガイドから隔離するようにギャップセット部材に設けられた係合部を姿勢矯正手段で移動案内し、
　前記インクジェットヘッドの姿勢を前記ヘッドギャップ調整手段で決められた姿勢と無関係な一定の姿勢に矯正し、当該一定の姿勢に矯正されたインクジェットヘッドを前記ワイパーでワイピングすることを特徴とする。
　また、請求項２の発明は請求項１において、請求項４の発明は請求項３において、前記姿勢矯正手段は、ヘッドギャップ調整手段に用いられたギャップセット部材に一体的に設けられた係合部と、姿勢矯正ガイドとを有し、姿勢矯正ガイドは、ガイドに当接係合したギャップセット部材がガイドから隔離する前記一定の姿勢にキャリッジを矯正保持するように係合部を移動案内する姿勢矯正部を有することを特徴とする。」と訂正する。
［訂正事項７］明細書の段落【００１６】記載の「請求項４の発明」及び「請求項２、５の発明では、前記ヘッドギャップ調整手段は、ギャップセット部材の当接係合高さに相応した分だけキャリッジを回動する。したがって、簡単な構成により当該ヘッドと印字媒体の搬送面との間隔を調整することができる。また、上記構成による請求項３、６の発明では、前記姿勢矯正手段は、ギャップセット部材に一体的に設けられた係合部を有する。したがって、一段と部品点数を減少してメンテナンス部を更に小型化・コスト低減化できる。」との記載を、「請求項３の発明」及び「請求項２、４の発明では、前記姿勢矯正手段は、ヘッドギャップ調整手段に用いられるギャップセット部材に一体的に設けられた係合部を有する。したがって、一段と部品点数を減少してメンテナンス部を更に小型化・コスト低減化できる。」とそれぞれ訂正する。なお、訂正請求書５頁１３〜１４行には「請求項２、４の発明によれば」とあるが、訂正請求書に添付の訂正明細書の記載に従い、上記のとおり認定する。
　
２．訂正の目的
　訂正事項１は、「ワイパーに達する」主体となるものが「インクジェットヘッド」である旨明りょうにするとともに、「姿勢矯正手段」が「ギャップセット部材をガイドから隔離するようにギャップセット部材に設けられた係合部を移動案内」する旨限定するものであるから、特許請求の範囲の減縮及び明りょうでない記載の釈明を目的とするものと認める。
　訂正事項２並びに、訂正事項３のうち「請求項１、２において」を「請求項１において」と訂正すること、及び訂正事項５のうち「請求項４、５において」を「請求項３において」と訂正することが特許請求の範囲の減縮を目的とすることは明らかである。（訂正事項５については、訂正後の請求項３が訂正前の請求項４に該当することは、訂正事項４から明らかである。）
　訂正事項３の残余の事項は、「ギャップセット部材」が「ヘッドギャップ調整手段に用いられる」旨規定するものであるが、この規定がなくとも、請求項１記載の「ギャップセット部材をガイドに当接係合させてインクジェットヘッドの姿勢を変更して当該ヘッドと印字媒体の搬送面との間隔を調整可能なヘッドギャップ調整手段」との記載から明らかである。したがって、特許請求の範囲の減縮を目的とするものと認めることはできないが、請求項１を参酌するまでもなく「ギャップセット部材」が「ヘッドギャップ調整手段に用いられる」ことが明りょうとなるとの意味から、明りょうでない記載の釈明を目的とするものと認める。訂正事項５の残余の事項も同様である。
　訂正事項４のうち、訂正前請求項４を請求項３と改めることは訂正事項２に付随した訂正にすぎず、残余の事項は訂正事項１同様特許請求の範囲の減縮を目的とするものと認める。
　訂正事項６及び訂正事項７は、特許請求の範囲の訂正であるところの訂正事項１〜訂正事項５に付随する訂正にすぎず、これ自体に独立した目的を見出すことはできない。特許請求の範囲の訂正が特許請求の範囲の減縮及び明りょうでない記載の釈明を目的とする以上、訂正事項６及び訂正事項７も同目的と認める。
　
３．新規事項の存否及び特許請求の範囲の実質上拡張・変更の有無
　訂正事項１〜訂正事項７が、願書に添付された明細書又は図面に記載の範囲内でされた訂正であること、及びこれら訂正事項が特許請求の範囲を実質上拡張又は変更するものでないことは明らかである。
　
４．結論
　以上のとおりであるから、本件訂正は特許法１２０条の４第２項１号及び３号に掲げる事項を目的とするものであり、平成６年法律第１１６号附則６条１項が、同法の施行前にした特許出願に係る特許の願書に添付した明細書又は図面の訂正については、なお従前の例によるとすることにより、特許法１２０条の４第３項において準用する同法１２６条２項及び３項が読み替えられて準用される平成６年法律第１１６号による改正前の特許法１２６条１項ただし書き前文及び２項の規定に適合する。
　よって、本件訂正を認める。
　
第２　特許異議申立についての判断
１．本件発明の認定
　本件訂正が認められるから、本件の請求項１〜請求項４に係る発明（以下「本件発明１」〜「本件発明４」という。）は、平成１５年８月１９日付け訂正請求書に添付された訂正明細書の特許請求の範囲【請求項１】〜【請求項４】に記載のとおりの以下の発明と認める。
「【請求項１】　インクジェットヘッドを搭載しキャリッジシャフト及びガイドに沿って印字領域内外を移動可能であるとともに、キャリッジシャフトを中心に回動可能なキャリッジと、
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーとキャップとを有するメンテナンス部と、
　インクジェットヘッドのメンテナンスを行う場合にインクジェットヘッドが前記ワイパーに達する前に、ギャップセット部材をガイドから隔離するようにギャップセット部材に設けられた係合部を移動案内し、ヘッドギャップ調整手段で決められた姿勢と無関係な一定の姿勢となるようにインクジェットヘッドを矯正する姿勢矯正手段と、
　を備え、
　前記ワイパーを前記一定の姿勢に矯正されたインクジェットヘッドをワイピング可能に設けるとともに、前記キャップを当該インクジェットヘッドをキャッピング可能に設けたことを特徴とするインクジェットプリンタ。
【請求項２】　請求項１において、前記姿勢矯正手段は、ヘッドギャップ調整手段に用いられるギャップセット部材に一体的に設けられた係合部と、姿勢矯正ガイドとを有し、
　姿勢矯正ガイドは、ガイドに当接係合したギャップセット部材がガイドから隔離する前記一定の姿勢にキャリッジを矯正保持するように係合部を移動案内する姿勢矯正部を有することを特徴とするインクジェットプリンタ。
【請求項３】　インクジェットヘッドを搭載しキャリッジシャフト及びガイドに沿って印字領域内外を移動可能であるとともに、キャリッジシャフトを中心に回動可能なキャリッジと、
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーを有するメンテナンス部と、
　インクジェットヘッドのメンテナンスを行う場合にインクジェットヘッドをワイパーに達する前に一定の姿勢となるように矯正する姿勢矯正手段と、
　を備えたインクジェットプリンタにおけるインクジェットヘッドのメンテナンス方法であって、
　前記インクジェットのメンテナンスを行なう場合にギャップセット部材をガイドから隔離するようにギャップセット部材に設けられた係合部を姿勢矯正手段で移動案内し、
　前記インクジェットヘッドの姿勢を前記ヘッドギャップ調整手段で決められた姿勢と無関係な一定の姿勢に矯正し、当該一定の姿勢に矯正されたインクジェットヘッドを前記ワイパーでワイピングすることを特徴としたインクジェットヘッドのメンテナンス方法。
【請求項４】　請求項３において、
　前記姿勢矯正手段は、
　ヘッドギャップ調整手段に用いられるギャップセット部材に一体的に設けられた係合部と、姿勢矯正ガイドとを有し、姿勢矯正ガイドは、ガイドに当接係合したギャップセット部材がガイドから隔離する前記一定の姿勢にキャリッジを矯正保持するように係合部を移動案内する姿勢矯正部を有することを特徴とするインクジェットプリンタにおけるインクジェットヘッドのメンテナンス方法。」
　
２．引用刊行物の記載事項
　取消理由に引用した特開平２−２０４０４２号公報（特許異議申立人の提出した甲第２号証。以下「引用例」という。）には、以下のア〜サの記載がある。
　ア．「記録媒体の搬送方向に対し、所定方向に記録ヘッドを移動させ、その過程で記録を行う液体噴射記録装置において、
　前記記録ヘッドまたはこれを支持する搭載手段を回動自在に支持し、前記所定方向に延在するガイド軸と、
　前記記録ヘッドによる記録領域外に設けられ、前記記録ヘッドの記録液吐出口の形成面に関連して回復処理を行う回復手段と、
　前記記録領域では前記記録ヘッドまたは前記搭載手段を前記記録媒体の厚みに応じた回動位置に設定し、前記回復手段との対向位置では前記記録ヘッドまたは前記搭載手段を前記回復手段による回復処理状態を確保するための所定の回動位置に設定する回動位置設定手段と
を具えたことを特徴とする液体噴射記録装置。」（１頁左下欄５行〜右下欄２行、特許請求の範囲第１項）
　イ．「前記回動位置設定手段は、前記記録媒体の厚みに応じて前記記録ヘッドまたは前記搭載手段を前記ガイド軸のまわりに回動させる調整部材と、前記記録領域にわたって延在して当接回動状態を維持する部分および前記対向位置で前記所定の回動位置に設定する部分を有するガイド軸とを有することを特徴とする請求項１に記載の液体噴射記録装置。」（１頁右下欄３〜１０行、同第２項）
　ウ．「記憶媒体（決定注．「記録媒体」の誤記と解する。）の搬送方向に対し、所定方向に記録ヘッドを移動させ、その過程で記録を行う液体噴射記録装置において、
　前記記録ヘッドを装置本体に対して異なる位置であって、異なる記録モードで採用される複数の位置に切換設定可能な手段と、
　前記記録ヘッドを回復処理する回復手段と、
　前記記録ヘッドを該回復手段により回復処理する際、前記記録ヘッドを記録モードによらず装置本体に対して同一の位置に案内する手段と、
を有することを特徴とする液体噴射記録装置。」（１頁右下欄１６行〜２頁左上欄９行、同第４項）
　エ．「前記回復手段は、前記記録ヘッドの記録液吐出口形成面を覆うキャッピング手段および／またはこれを清掃するクリーニング手段であることを特徴とする・・・液体噴射記録装置。」（２頁左上欄１０〜１３行、同第４項）
　オ．「［発明が解決しようとする課題］・・・記録ヘッド前面−記録媒体間の距離を調整する液体噴射記録装置においては、キャリッジが回動しうる構成であるために、キャップ時に記録ヘッド前面を十分に密閉状態とすることができなくなるおそれが生じる。」（３頁左上欄４〜１１行）
　カ．「３５は回復手段の他の形態をなすブレードであり、適宜の駆動手段により突出して記録ヘッドの吐出口形成面（記録ヘッド前面）１１ｄ′と係合し、これを拭う（ワイピングする）ことにより、面に付着しているインクや塵埃その他を除去し、記録ヘッド前面１１ｄを清掃（クリーニング）する。」（４頁左下欄７〜１２行）
　キ．「１０４はキャリッジ２０に設けた回動中心をなすピン１１１のまわりに回動可能に軸支されている距離ｌ１の調整レバーである。１０５は調整レバー１０４に突設した軸１０６によって回転自在に軸支され、キャリッジ２０の第２のガイド手段をなすガイドローラであり、ガイド面１０５ａが球面形状となっている。１０７は記録装置のシャーシであり、キャリッジ２０の第２のガイド手段であるガイドローラ１０５を案内するためのガイドレール１０８が一体に構成されている。」（８頁右上欄６〜１５行）
　ク．「調整レバー１０４を操作することにより調整レバー１０４に回転自在に軸支されているガイドローラ１０５のキャリッジ２０に対する位置を変え、ガイド軸７０を回転中心としてキャリッジ２０を回動させ、記録ヘッド前面１１ｄ′と被記録面Ｐａとの距離をｌ１に保つようにする。ガイドローラ１０５は記録装置のシャーシ１０７に設けられたガイドレール１０８によって案内されているため、ガイドローラ１０５のキャリッジ２０に対する位置を変えることによってキャリッジ２０はガイド軸７０を回動中心として回動させられる。」（８頁左下欄８〜１８行）
　ケ．「第１０図・・・において、２０はキャリッジであり、このキャリッジの記録ヘッド１０が搭載される部位と反対側から見た図を示す。１０４はその回動によってキャリッジ２０を前述のガイド軸７０の廻りに回動させる調整レバー，１１１はキャリッジ２０に固定され、調整レバー１０４の回動軸となるガイドピンである。１０５は、調整レバー１０４に固定された軸１０６の廻りに回動自在に軸支されるガイドローラであり、ガイドローラ１０５はガイドレール８の上面および下面と接触しながら回動し、レール８に案内される。」（８頁右下欄３〜１８行）
　コ．「第８図に示す状態から、キャリッジ２０をガイド軸７０廻りに回動させて第９図に示す状態とするには、第１０図に示すようにレバー１０４を図中矢印Ｃで示される方向に回動させる。このレバー１０４の回動によって、ガイドローラ１０５が矢印Ｅ方向の左方に変位すると共に、ガイドピン１１１が矢印Ｄ方向に変位してキャリッジ２０の後端を矢印Ｄ方向に変位させる。」（９頁右上欄７〜１４行）
　サ．「キャップ時の動作について、第１１図等を用いて説明する。・・・図において、ピン１１１はキャリッジ２０がキャップ位置に設定される場合に一定の位置に導くためのガイドピンとしても機能するものであり、１１２はガイドピン１１１を案内するシャーシ１０７のガイドレール１０８に連続して設けたガイド部分である。１１２ａはキャップ位置においてキャリッジ２０を所定位置に保持するためのガイド溝である。第８図に示したような状態にキャリッジがある場合には、ガイドピン１１１は図中（Ｄ）の高さにあり、キャップ位置ではそのままガイド溝１１２ａ中に進入する。一方、厚手の記録媒体に対応すべく第９図に示した状態にキャリッジ２０がある場合には、ガイドピン１１１は（Ｅ）のような高さにあるが、キャリッジ２０のキャップ位置への移動に伴い、ガイド部１２ｂ（決定注．「１１２ｂ」の誤記と認める。）に導かれてガイド溝１２ａ（決定注．「１１２ａ」の誤記と認める。）に進入することになる。すなわち、キャリッジ２０はキャリッジの傾き状態にかかわらず、ガイドピン１１１とガイド部分１１２とによりキャリッジ２０が第１０図について述べたように回動し、キャップ位置では同一の姿勢となるため、その位置でキャップ３１と平行に対向するようにすれば、第１２図（Ａ）に示したようにキャップ３１が常に同一の状態で記録ヘッド前面に接することになる。」（９頁左下欄１１行〜右下欄１９行）
　
３．引用例記載の発明の認定
　記載カによれば、記載エのクリーニング手段はワイピング手段ということもでき、同記載中の「キャッピング手段および／またはこれを清掃するクリーニング手段」とは、「キャッピング手段」と「ワイピング手段」両者が回復手段に含まれる場合があることを明確に示したものである。この点特許権者は「キャップとブレードを共用する組合わせは示されていない。」（特許異議意見書６頁４〜５行）及び「メンテナンス部にキャップ及びワイパーの双方を設けてもよい旨の記載はない。」（同書９頁末行〜１０頁１行）と主張するが、「および／または」の意味するところは上記のとおりであり、到底採用できない主張である。
　引用例の第１１図によれば、ガイド溝の溝幅はガイドピンの直径と同程度と認められ、前記ガイド溝にガイドピンが係合するものと認められる。
　引用例の記載サ及び第１１図によれば、記録領域においてキャリッジが特定回動状態（具体的には第９図の状態）にある場合には、ガイド部によってガイドピンがガイド溝まで移動案内され、その際ガイドローラはガイドレールから隔離されるものと認められる。
　記載オ等の「キャリッジ」が記載ア，イの搭載手段に当たり、記載キ，クの「調整レバー１０４」と「ガイドローラ１０５」が記載ア，イの「調整部材」に当たることは明らかである。
　したがって、記載ア〜サを含む引用例の全記載及び図示によれば、引用例には次の発明（以下「引用例発明」という。）が記載されているものと認められる。
「記録媒体の搬送方向に対し、所定方向に記録ヘッドを搭載するキャリッジを移動させ、その過程で記録を行う液体噴射記録装置において、
　前記キャリッジを回動自在に支持し、前記所定方向に延在するガイド軸と、
　前記記録ヘッドによる記録領域外に設けられ、キャッピング手段及びワイピング手段を有する回復手段と、
　前記キャリッジに固定されたガイドピンのまわりに回動可能に軸支されている調整レバー、前調整レバーに突設した軸によって回転自在に軸支されたガイドローラ、及び前記ガイドローラを案内するためのガイドレールを有し、前記調整レバーを操作することにより、前記ガイド軸を回転中心として前記キャリッジを回動できるように構成されており、
　前記ガイドレールに連続してガイド部及びガイド溝が設けられており、
　前記記録領域では前記キャリッジを前記記録媒体の厚みに応じた回動位置に設定可能であり、
　前記回復手段との対向位置に前記キャリッジが移動する際に、前記記録領域において前記キャリッジが特定回動状態にある場合には、前記ガイド部によって前記ガイドピンが前記ガイド溝まで移動案内され、その際前記ガイドローラは前記ガイドレールから隔離され、前記記録領域における前記キャリッジの回動状態にかかわらず、前記回復手段との対向位置では前記ガイドピンが前記ガイド溝に係合することによって前記キャリッジが所定の位置となるよう構成されている液体噴射記録装置。」
　
４．本件発明１と引用例発明との一致点及び相違点の認定
　引用例発明の「液体噴射記録装置」は「インクジェットプリンタ」ということができるから、「記録ヘッド」は「インクジェットヘッド」ということができる。
　引用例発明の「記録領域」、「ガイド軸」、「ワイピング手段」、「キャッピング手段」及び「回復手段」は、本件発明１の「印字領域」、「キャリッジシャフト」、「ワイパー」、「キャップ」及び「メンテナンス部」に相当し、引用例発明の「ワイピング手段」及び「キャッピング手段」が「インクジェットヘッドをワイピング可能」及び「インクジェットヘッドをキャッピング可能」に設けられていることは明らかである。
　引用例発明においては、「調整レバー」の操作によりキャリッジを記録媒体の厚みに応じた回動位置に設定可能であるから、本件発明１の「インクジェットヘッドの姿勢を変更して当該ヘッドと印字媒体の搬送面との間隔を調整可能なヘッドギャップ調整手段」を有するといえ、「調整レバー」と「ガイドローラ」が本件発明１の「ギャップセット部材」に相当する。
　本件発明１の「ガイド」はギャップセット部材を当接係合させるものであるから、引用例発明の「ガイドレール」がこれに相当し、引用例発明においてもキャリッジが「ガイド軸」だけでなく「ガイドレール」に沿っても記録領域内外を移動可能である。
　引用例発明の「前記記録領域における前記キャリッジの回動状態にかかわらず、前記回復手段との対向位置では前記ガイドピンが前記ガイド溝に係合することによって前記キャリッジが所定の位置となるよう構成」と本件発明１の「一定の姿勢となるようにインクジェットヘッドを矯正」に相違はないから、引用例発明は本件発明１の「姿勢矯正手段」を有するといえ、「ガイド部」は「ガイドピン」を移動案内するといえるから、「ガイドピン」は本件発明１の「係合部」に相当する。そして、その移動案内が「インクジェットヘッドが前記ワイパーに達する前」であることはいうまでもない。
　以上によれば、本件発明１と引用例発明とは、
「インクジェットヘッドを搭載しキャリッジシャフト及びガイドに沿って印字領域内外を移動可能であるとともに、キャリッジシャフトを中心に回動可能なキャリッジと、
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーとキャップとを有するメンテナンス部と、
　インクジェットヘッドのメンテナンスを行う場合に、印字領域においてインクジェットヘッドが特定姿勢にある場合には、インクジェットヘッドが前記ワイパーに達する前に、ギャップセット部材をガイドから隔離するように係合部を移動案内し、一定の姿勢となるようにインクジェットヘッドを矯正する姿勢矯正手段と、
　を備え、
　前記ワイパーを前記一定の姿勢に矯正されたインクジェットヘッドをワイピング可能に設けるとともに、前記キャップを当該インクジェットヘッドをキャッピング可能に設けたインクジェットプリンタ。」である点で一致し、次の各点で相違する。
〈相違点１〉「インクジェットヘッドが前記ワイパーに達する前に、ギャップセット部材をガイドから隔離するように係合部を移動案内」が、本件発明１では「印字領域においてインクジェットヘッドが特定姿勢にある場合」だけでなく、印字領域においてインクジェットヘッドが任意の姿勢にある場合に行われると解される（仮にこの解釈が妥当でないとすれば、相違点１は存在しないだけであり、進歩性の判断には影響を及ぼさない。）のに対し、引用例発明ではインクジェットヘッドが特定姿勢にある場合にはそのような移動案内が行われるが、すべての姿勢において行われるとまではいえない点。
〈相違点２〉「一定の姿勢」につき、本件発明１では「ヘッドギャップ調整手段で決められた姿勢と無関係な一定の姿勢」とされているのに対し、引用例発明では前記記録領域における前記キャリッジの回動状態にかかわらない所定の位置とされている点。
〈相違点３〉「係合部」につき、本件発明１ではギャップセット部材に設けられているのに対し、引用例発明ではキャリッジに固定されている点。
　
５．本件発明１と引用例発明との相違点についての判断及び本件発明１の進歩性の判断
（１）相違点１について
　引用例発明の実施例では、記載サおよび第１１図にあるように、キャリッジ（及びインクジェット）が上記特定姿勢とは別のある姿勢（第８図の姿勢）を採った時、ガイドピンはガイド部に案内されることなくガイド溝に係合されるよう構成されている。しかし、そのような構成を採用しなければならない理由はなく、引用例の特許請求の範囲においても、「回復手段による回復処理状態を確保するための所定の回動位置に設定する回動位置設定手段」（特許請求の範囲第１項、記載ア）、「前記対向位置で前記所定の回動位置に設定する」（同第２項、記載イ）、及び「記録ヘッドを記録モードによらず装置本体に対して同一の位置に案内する手段」（同第４項、記載ウ）と記載されているように、実施例に採用された構成は必須の構成とはされていない。すなわち、引用例発明の課題（記載オ）を解決するためには、一定の姿勢となるようにインクジェットヘッドを矯正することのみが必要であり、上記実施例の構成は偶々採用された付加構成にすぎない。
　そして、引用例第１１図においては、キャリッジが上記別のある姿勢を採った時のガイド溝の位置とガイドピン位置（第１１図の１１１（Ｄ））が一致するように設計されているのであるが、図上ガイド溝位置よりも低い位置にガイドピンが位置した場合であっても、ガイド部によりガイドピンをガイド溝まで移動案内することができるのであるから、記録領域におけるキャリッジのすべての姿勢でのガイドピン位置を、第１１図上ガイド溝よりも低い位置とすることに困難性があるとはいえない。そして、ガイドピンがガイド溝よりも低い位置にあれば、ガイドローラ（本件発明１では「ギャップセット部材」）をガイドレール（同「ガイド」）から隔離するようにガイドピン（同「係合部」）を移動案内することになることはいうまでもない。
　したがって、相違点１に係る本件発明１の構成をなすことは当業者にとって想到容易である。
　この点特許権者は、「引用公報２（決定注．引用例）に記載の発明のように、ヘッドギャップ調整手段で決められた１つの姿勢（ポジション）でメンテナンス処理を行なう場合には、ヘッドギャップ調整手段はその構成部品のバラツキの影響を受け、部品の組立時のヘッドギャップ調整手段の調整が複雑かつ困難となる」（特許異議申立書１０頁１４〜１７行）と主張するが、引用例発明をその実施例に限定して解釈することはできないばかりか、上記主張のとおりであるとすれば、引用例発明を実施するに当たり、ヘッドギャップ調整手段で決められた１つの姿勢（ポジション）でメンテナンス処理を行なわないようにすることは、部品の組立時のヘッドギャップ調整手段の調整の容易性を考慮した上で、当業者が適宜選択する事項にすぎないというべきである。したがって、特許権者の上記主張は、上記判断を左右するほどのものではない。
　
（２）相違点２について
　（１）で述べたように、引用例発明において、記録領域におけるキャリッジのすべての姿勢でのガイドピン位置を、第１１図上ガイド溝よりも低い位置とすることは当業者にとって想到容易であり、その場合「一定の姿勢」は「ヘッドギャップ調整手段で決められた姿勢」と異なる姿勢となる。
　したがって、「ヘッドギャップ調整手段で決められた姿勢と無関係な一定の姿勢」を仮に、「ヘッドギャップ調整手段で決められた姿勢」と異なる姿勢の意に解する（そう解されないのであれば、相違点２は存在しないことになるから、検討不要である。）としても、相違点１に係る本件発明１の構成を採用することにより、付随的に採用される構成にすぎず、相違点１とは独立した相違点ではない。
　そして、相違点１に係る本件発明１の構成をなすことは当業者にとって想到容易である以上、相違点２に係る構成をなすことは当業者にとって想到容易である。
　
（３）相違点３について
　引用例の記載キ及び記載サによれば、引用例発明のガイドピンは、調整レバーの回転軸となる機能（以下「第１機能」という。）、及びガイド部により案内されガイド溝に係合する機能（以下「第２機能」という。）の２つの機能を併せ有するものである。そして、これら２つの機能を有するために、キャリッジに固定されたガイドピンは、そこに被嵌している調整レバーを超えて突出しており、その突出部分が「係合部」となるものと認められる。かかる構成は、引用例の第１図及び第３Ａ図からも窺える。
　他方、訂正明細書の、「ギャップセット部材２２は、図１（Ａ），（Ｂ）および図２に示す如く、ボス部２３とレバー部２５とを有しており、ボス部２３はキャリッジ２の後端部に固設された取付軸８に保持爪（２９，２９）を介して回転可能に被嵌している。」（段落【００２０】）、及び「姿勢矯正手段４１は、図１（Ｂ）に示す如く、ギャップセット部材２２に一体的に設けられた係合円筒部４２と，姿勢矯正ガイド４３とから構成されている。」（段落【００２３】）との記載によれば、本件発明１の実施例では、引用例発明のガイドピンが有する第１機能は、係合部（上記記載中の「係合円筒部４２」）ではなく、キャリッジに固設された「取付軸８」により実現されている。この「取付軸８」は、その機能及び取付位置において、引用例発明のガイドピンのうちキャリッジに近く調整レバーが被嵌する部分となんら異ならない。
　そうすると、相違点３とは、第２機能を有する部材を、キャリッジに固定され調整レバーが被嵌する部材の突出部分とする（引用例発明）か、それとも同部材に被嵌する部材に設ける（本件発明１）かの相違にすぎないことになる。
　そして、第２機能については、キャリッジとの位置関係が固定的であることだけが必要であり、キャリッジに対して回転しないことが不要であることは原理上明らかである。そうであれば、引用例発明においては、ガイドピンは調整レバーから突出してこの突出部分を係合部としているけれども、ガイドピンを調整レバーから突出させずに、調整レバーにガイドピンと同軸となる部分を設け、これを係合部とすることにより相違点３に係る本件発明１の構成をなすことは当業者が容易に想到できたものと認められる。
　
（４）本件発明１の進歩性の判断
　相違点に係る本件発明１の構成はすべて当業者にとって想到容易であり、これら構成を採用することによる格別の作用効果を認めることもできない。
　したがって、本件発明１は引用例発明に基づいて当業者が容易に発明できたものである。
　
６．本件発明２の進歩性の判断
　請求項２の限定事項のうち、「ヘッドギャップ調整手段に用いられるギャップセット部材」は、本件発明１の「ギャップセット部材をガイドに当接係合させてインクジェットヘッドの姿勢を変更して当該ヘッドと印字媒体の搬送面との間隔を調整可能なヘッドギャップ調整手段」をなんら限定するものではない。同じく、姿勢矯正手段が「係合部と、姿勢矯正ガイドとを有」する点は、本件発明１の「ギャップセット部材に設けられた係合部を移動案内し、ヘッドギャップ調整手段で決められた姿勢と無関係な一定の姿勢となるようにインクジェットヘッドを矯正する姿勢矯正手段」をなんら限定するものではない。この点補足すると、請求項１には「姿勢矯正ガイド」との文言はないけれども、「係合部を移動案内」する関係上、「ガイド」と称されるものを備えると解すべきであり、その「ガイド」は姿勢矯正に用いられるのだから「姿勢矯正ガイド」と称することができる。仮に「姿勢矯正ガイド」を有することが限定に当たるとしても、引用例発明の「ガイド部」及び「ガイド溝」がこれに相当するから、引用例発明との新たな相違点を構成するものではない。
　さらに、請求項２の「姿勢矯正ガイドは、ガイドに当接係合したギャップセット部材がガイドから隔離する前記一定の姿勢にキャリッジを矯正保持するように係合部を移動案内する姿勢矯正部を有する」との限定についても、本件発明１が有すると解すべき上記「姿勢矯正ガイド」は、「ギャップセット部材をガイドから隔離するようにギャップセット部材に設けられた係合部を移動案内し、ヘッドギャップ調整手段で決められた姿勢と無関係な一定の姿勢となるようにインクジェットヘッドを矯正する」のであるから、別段本件発明１を限定するものではない。仮に、何らかの限定であると解する余地があるとしても、引用例発明の「ガイド部」又は「ガイド溝」がこれに相当するから、引用例発明との新たな相違点を構成するものではない。
　そうすると、請求項２による限定事項は、「ギャップセット部材に一体的に設けられた係合部」との構成のみである。
　そこで、この構成について検討するに、「係合部」を「ギャップセット部材」に設けることが当業者にとって想到容易であることは５．（３）で述べたとおりである。その際、係合部をギャップセット部材に一体的に設けることは、これを阻害する理由もなく、単に実施にあたっての軽微な設計事項にとどまるものである。
　したがって、本件発明２も引用例発明に基づいて当業者が容易に発明できたものである。
　
７．本件発明３及び本件発明４の進歩性の判断
　本件発明１及び本件発明２は、メンテナンス部を有するインクジェットプリンタであるから、当然インクジェットヘッドのメンテナンスを行うインクジェットプリンタである。そして、本件発明１のインクジェットプリンタでのインクジェットヘッドのメンテナンス方法が本件発明３となること、及び本件発明２のインクジェットプリンタでのインクジェットヘッドのメンテナンス方法が本件発明４となることは、請求項１と請求項３の記載振り、及び請求項２と請求項４の記載振りから明らかである。
　そうであれば、本件発明１及び本件発明２が引用例発明に基づいて当業者が容易に発明できたものである以上、本件発明３及び本件発明４も引用例発明に基づいて当業者が容易に発明できたものといわなければならない。
　
第３　むすび
　本件発明１〜本件発明４は引用例発明に基づいて当業者が容易に発明できたものであるから、請求項１〜請求項４に係る特許は、特許法２９条２項の規定により拒絶の査定をしなければならない特許出願に対してされたものである。
　したがって、特許法等の一部を改正する法律（平成６年法律１１６号）附則１４条の規定に基づく、特許法等の一部を改正する法律の施行に伴う経過措置を定める政令（平成７年政令２０５号）４条２項の規定により、請求項１〜請求項４に係る特許は取り消されなければならない。
　よって、結論のとおり決定する
【異議決定日】
平成１５年９月１２日（２００３．９．１２）
【訂正の要旨】
審決（決定）の【理由】欄参照。
（５４）【発明の名称】
インクジェットプリンタおよびインクジェットヘッドのメンテナンス方法
（５７）【特許請求の範囲】
　【請求項１】　インクジェットヘッドを搭載しキャリッジシャフト及びガイドに沿って印字領域内外を移動可能であるとともに、キャリッジシャフトを中心に回動可能なキャリッジと、
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーとキャップとを有するメンテナンス部と、
　インクジェットヘッドのメンテナンスを行う場合にインクジェットヘッド
が
ギャップセット部材をガイドから隔離するようにギャップセット部材に設けられた係合部を移動案内し、
インクジェットヘッドを
　を備え、
　前記ワイパーを前記一定の姿勢に矯正されたインクジェットヘッドをワイピング可能に設けるとともに、前記キャップを当該インクジェットヘッドをキャッピング可能に設けたことを特徴とするインクジェットプリンタ。
　【
請求項２
請求項１において
ヘッドギャップ調整手段に用いられる
　姿勢矯正ガイドは、ガイドに当接係合したギャップセット部材がガイドから隔離する前記一定の姿勢にキャリッジを矯正保持するように係合部を移動案内する姿勢矯正部を有することを特徴とするインクジェットプリンタ。
　【
請求項３
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーを有するメンテナンス部と、
　インクジェットヘッドのメンテナンスを行う場合にインクジェットヘッドを前記ワイパーに達する前に一定の姿勢となるように矯正する姿勢矯正手段と、
　を備えたインクジェットプリンタにおけるインクジェットヘッドのメンテナンス方法であって、
　
前記インクジェットヘッドのメンテナンスを行う場合にギャップセット部材をガイドから隔離するようにギャップセット部材に設けられた係合部を姿勢矯正手段で移動案内し、
　前記インクジェットヘッドの姿勢を前記ヘッドギャップ調整手段で決められた姿勢と無関係な一定の姿勢に矯正し、当該一定の姿勢に矯正されたインクジェットヘッドを前記ワイパーでワイピングすることを特徴としたインクジェットヘッドのメンテナンス方法。
　【
請求項４
請求項３において
　前記姿勢矯正手段は、
　
ヘッドギャップ調整手段に用いられる
【発明の詳細な説明】
　【０００１】
　【産業上の利用分野】
　本発明は、印字領域外にワイパーとキャップとを有するメンテナンス部が設けられたインクジェットプリンタおよびインクジェットヘッドのメンテナンス方法に関する。
　【０００２】
　【従来の技術】
　図５〜図７に、インクジェットプリンタの従来構成を示す。これらの図において、１は本体フレーム、２はキャリッジ、６はインクジェットヘッド、１２はキャリッジ駆動手段、２１Ｐはヘッドギャップ調整手段、３１Ｐはメンテナンス部である。なお、１７は、用紙トレイ１８等を有する給紙部である。
　【０００３】
　キャリッジ２は、カートリッジ７付きのインクジェットヘッド６を搭載しており、キャリッジ駆動手段１２（駆動モータ１３，ベルト伝動機構１４等）を介してキャリッジシャフト４およびガイドレール部５に沿って印字領域（Ｌ）の内外を移動可能に設けられている。
　【０００４】
　インクジェットヘッド６は、カートリッジ７から供給されたインクを搬送面１６上を搬送される印字媒体へ向けて噴射可能に構成されている。
　【０００５】
　ヘッドギャップ調整手段２１Ｐは、図７に示す如く、偏心ブッシュ２７を利用してインクジェットヘッド６の姿勢を変更することにより，当該ヘッド６と搬送面１６との間隔（ヘッドギャップＧ）を調整可能に構成されている。詳しくは、偏心ブッシュ２７は、本体フレーム１に回転可能に支持されており、キャリッジシャフト４の端部は当該偏心ブッシュ２７に偏心した状態で保持されている。
　【０００６】
　したがって、操作レバー２８を用いて偏心ブッシュ２７を回動することにより、キャリッジシャフト４は偏心運動して高さ位置が変わる。その結果、キャリッジ２（インクジェットヘッド６）の姿勢が変更され、ヘッドギャップＧの調整が可能となる。この従来例では、ヘッドギャップ調整手段２１Ｐを用いて、ヘッドギャップＧを、薄手の印字媒体（例えば、カット用紙）を印字する場合と，厚手の印字媒体（例えば、封筒）を印字する場合とで、２段階に切替えるものとしている。
　【０００７】
　ところで、インクジェットプリンタには、インクの目詰まり等を防止するために、印字領域（Ｌ）外にメンテナンス部３１Ｐが設けられている。メンテナンス部３１Ｐは、複数のワイパー（３３，３４）とキャップ３５とを有し、インクジェットヘッド６に残留付着したインクを拭き取り（ワイピング）した後，当該ヘッド６をキャップ３５で被覆（キャッピング）してメンテナンス可能に構成されている。
　【０００８】
　ここにおいて、インクジェットヘッド６は、メンテナンス部３１Ｐにヘッドギャップ調整されたままの姿勢で送られてくるので、ワイパーとしては，薄手の印字媒体用にヘッドギャップ調整された場合のインクジェット６をワイピングするためのワイパー３３と，厚手の印字媒体用にヘッドギャップ調整された場合のインクジェット６をワイピングするためのワイパー３４とが設けられている。
　【０００９】
　インクジェットヘッド６のメンテナンスを行う場合には、キャリッジ２が印字領域（Ｌ）を越えてメンテナンス部３１Ｐへ移動させられる。キャリッジ２がメンテナンス部３１Ｐに入ったところで、まずインクジェットヘッド６からインクが一度はき出される。つまり、スピット動作がなされる。このスピット動作後、インクジェットヘッド６は、２つのワイパー（３３，３４）のいずれかによってワイピングされた後、キャップ３５でキャッピングされる。
　【００１０】
　なお、印字を再開する場合には、インクジェットヘッド６のキャッピングが解除された後、キャリッジ駆動手段１２が駆動されてキャリッジ２が印字領域（Ｌ）内へ移される。
　【００１１】
　【発明が解決しようとする課題】
　ところで、上記インクジェットプリンタにおいても、他の電子機器と同様に一層の需要拡大等を図るために、小型化・コスト低減化が要請されている。かかる要請に応じるために、従来より印字用構成部品の小型化等が種々試みられているが、メンテナンス部３１Ｐも小型化等を図る必要のあることが指摘されている。
　【００１２】
　そこで、ワイパーの個数を減少して、例えば１つのワイパー（３３又は３４）だけにしてインクジェットヘッド６のワイピングを行うことが考えられる。しかし、これではワイピング不足が生じたり、インクジェットヘッド６側に過負荷が掛かってキャリッジ２が脱調したりする不具合が生じてしまう。
　【００１３】
　また、例えばインクジェットヘッド６が、ヘッドギャップ調整誤差によって図７中矢印Ｒ方向に傾斜しすぎた状態でメンテナンス部３１Ｐに入った場合には、当該ヘッド６とキャップ３５との接触圧力が不足し，確実にキャッピングできない事態が生じることがある。
　【００１４】
　本発明の目的は、上記事情に鑑み、メンテナンス部の小型化およびコスト低減化を図りつつ、インクジェットヘッドを確実にメンテナンスすることのできるインクジェットプリンタおよびインクジェットヘッドのメンテナンス方法を提供することにある。
　【００１５】
　【課題を解決するための手段】
　請求項１の発明は、インクジェットヘッドを搭載しキャリッジシャフト及びガイドに沿って印字領域内外を移動可能であるとともに、キャリッジシャフトを中心に回動可能なキャリッジと、
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーとキャップとを有するメンテナンス部と、
　インクジェットヘッドのメンテナンスを行う場合にインクジェットヘッド
が
ギャップセット部材をガイドから隔離するようにギャップセット部材に設けられた係合部を移動案内し、
　を備え、
　前記ワイパーを前記一定の姿勢に矯正されたインクジェットヘッドをワイピング可能に設けるとともに、前記キャップを当該インクジェットヘッドをキャッピング可能に設けたことを特徴とする。
　また、
請求項３
　ギャップセット部材をガイドに当接係合させてインクジェットヘッドの姿勢を変更して当該ヘッドと印字媒体の搬送面との間隔を調整可能なヘッドギャップ調整手段と、
　印字領域外に設けられたワイパーを有するメンテナンス部と、
　インクジェットヘッドのメンテナンスを行う場合にインクジェットヘッドをワイパーに達する前に一定の姿勢となるように矯正する姿勢矯正手段と、
　を備えたインクジェットプリンタにおけるインクジェットヘッドのメンテナンス方法であって、
　
前記インクジェットヘッドのメンテナンスを行う場合にギャップセット部材をガイドから隔離するようにギャップセット部材に設けられた係合部を姿勢矯正手段で移動案内し、
　前記インクジェットヘッドの姿勢を前記ヘッドギャップ調整手段で決められた姿勢と無関係な一定の姿勢に矯正し、当該一定の姿勢に矯正されたインクジェットヘッドを前記ワイパーでワイピングすることを特徴とする。
　また、請求項２の発明は請求項１において、
請求項４
請求項３
、前記姿勢矯正手段は、ヘッドギャップ調整手段に用いられた
　【００１６】
　【作用】
　上記構成による請求項１の発明では、インクジェットヘッドのメンテナンスを行う場合には、インクジェットヘッドはワイパーに達する前に姿勢矯正手段によって一定の姿勢に矯正される。すなわち、インクジェットヘッドは、ヘッドギャップ調整手段によって調整された姿勢に関係なく一定の姿勢となる。したがって、姿勢が一定に矯正されたインクジェットヘッドを、１つのワイパーで確実にワイピングできるとともに、キャップでキャッピングできる。また、上記構成による
請求項３
請求項２、４
、前記姿勢矯正手段は、ヘッドギャップ調整手段に用いられる
　【００１７】
　【実施例】
　以下、本発明の実施例を図面を参照して説明する。
　本インクジェットプリンタは、図１〜図４に示す如く、基本的構成は従来例（図５〜図７）と同様とされているが、インクジェットヘッド６を一定の姿勢とする姿勢矯正手段４１を設けるとともに、一定の姿勢に矯正されたインクジェットヘッド６用のワイパー３２とキャップ３５とを設けた構成とされている。
　【００１８】
　なお、従来例（図５〜図７）と共通する構成要素については同一の符号を付し、その説明を簡略化又は省略する。
　【００１９】
　まず、この実施例では、ヘッドギャップ調整手段２１は、ギャップセット部材２２を用いてキャリッジ２の姿勢を変更することによりヘッドギャップＧを調整するものとされている。
　【００２０】
　ギャップセット部材２２は、図１（Ａ），（Ｂ）および図２に示す如く、ボス部２３とレバー部２５とを有しており、ボス部２３はキャリッジ２の後端部に固設された取付軸８に保持爪（２９，２９）を介して回転可能に被嵌している。両保持爪（２９，２９）は、その弾性力によって取付軸８と強く圧接しており、レバー部２５に相当程度強い操作外力が掛からない限り相対回転しないものとされている。ボス部２３の外周面には、ガイドレール部５の上面と当接係合可能な小突起２４Ａと大突起２４Ｂとが１８０°ピッチで設けられている。
　【００２１】
　ここにおいて、ギャップセット部材２２のレバー部２５に強い操作外力を掛けることにより当該ギャップセット部材２２を回動させ、小突起２４Ａをガイドレール部５と当接係合させると、キャリッジ２は小突起２４Ａの高さに相応した分だけキャリッジシャフト４を中心として図１（Ａ）において反時計回り方向に回動して、インクジェットヘッド６のヘッドギャップＧが厚手の印字媒体（例えば、封筒）用に調整される。ギャップセット部材２２を更に半回転させて、大突起２４Ｂをガイドレール部５と当接係合させると、ヘッドギャップＧが薄手の印字媒体（例えば、カット用紙）用に調整される。
　【００２２】
　次に、本発明の特徴部である姿勢矯正手段４１は、インクジェットヘッド６のメンテナンスを行う場合にインクジェットヘッド６がメンテナンス部３１のワイパー３２に達する前にヘッドギャップ調整手段２１で決められた姿勢とは無関係な一定の姿勢となるように矯正する手段である。
　【００２３】
　具体的には、姿勢矯正手段４１は、図１（Ｂ）に示す如く、ギャップセット部材２２に一体的に設けられた係合円筒部４２と，姿勢矯正ガイド４３とから構成されている。係合円筒部４２は、図２に示す如く、ボス部２３よりも僅かに直径が小さい円筒形状とされている。姿勢矯正ガイド４３は、図３に示す如く、メンテナンス部３１の入口部分に設けられており、ギャップセット部材２２の係合円筒部４２をガイドレール部５を移動する場合よりも持上げることなく移動案内する入口部４４と，係合円筒部４２を持上げつつ移動案内する傾斜部４５と，キャリッジ２（インクジェットヘッド６）をギャップセット部材２２の突起（２４Ａ，２４Ｂ）がガイドレール部５から隔離する一定の姿勢〔図１（Ｂ）参照〕に保持する姿勢矯正部４６とから形成されている。
　【００２４】
　ワイパー３２は、一定の姿勢に矯正されたインクジェットヘッド６をワイピング可能に設けられている。また、キャップ３５は、一定の姿勢に矯正されたインクジェットヘッド６をキャッピング可能に設けられている。
　【００２５】
　次に、この実施例の作用について説明する。インクジェットヘッド６のメンテナンスを行う場合には、キャリッジ２が印字領域（Ｌ）を越えてメンテナンス部３１へ移動させられる。キャリッジ２がメンテナンス部３１へ入ったところで、スピット動作がなされ、そしてインクジェットヘッド６の姿勢がワイパー３２に達する前に姿勢矯正手段４１によって矯正される。すなわち、インクジェットヘッド６は、ヘッドギャップ調整手段２１によって調整された姿勢とは無関係な一定の姿勢に矯正される。したがって、姿勢が一定に矯正されたインクジェットヘッド６を、１つのワイパー３２で確実にワイピングできるとともに、キャップ３５でキャッピングできる。
　【００２６】
　しかして、この実施例によれば、ワイパー３２に達する前にインクジェットヘッド６を一定の姿勢に矯正する姿勢矯正手段４１を設けるとともに、一定の姿勢に矯正されたインクジェットヘッド６に合わせたワイパー３２とキャップ３５とを設けたので、ワイパーが１個で足り部品数を減少することができる。また、インクジェットヘッド６を、ヘッドギャップ調整時の誤差に左右されることなく確実にキャッピングできる。したがって、メンテナンス部３１の小型化およびコスト低減化を図りつつ、インクジェットヘッド６を確実にメンテナンスすることができる。
　【００２７】
　また、姿勢矯正手段４１を形成する係合円筒部４２をギャップセット部材２２と一体的に設けたので、一段と部品点数を減少してメンテナンス部３１を更に小型化・コスト低減化できる。
　【００２８】
　【発明の効果】
　請求項１の発明によれば、ワイパーに達する前にインクジェットヘッドの姿勢をヘッドギャップ調整手段によって調整された姿勢に関係なく一定の姿勢に矯正する姿勢矯正手段を設けるとともに、一定の姿勢に矯正されたインクジェットヘッドに合わせたワイパーとキャップとを設けたので、ワイパーが１個で足り部品数を減少することができる。また、インクジェットヘッドをヘッドギャップ調整時の誤差に左右されることなく確実にキャッピングできる。したがって、メンテナンス部の小型化およびコスト低減化を図りつつ、インクジェットを確実にメンテナンスすることができる。また、
請求項３
請求項２、４
、前記姿勢矯正手段は、ヘッドギャップ調整手段に用いられる
【図面の簡単な説明】
　【図１】　本発明の実施例を説明するための図である。
　【図２】　同じく、姿勢矯正手段の係合円筒部が一体的に設けられたギャップセット部材を説明するための図である。
　【図３】　同じく、全体構成を説明するための斜視図である。
　【図４】　同じく、メンテナンス部の全体構成を説明するための図である。
　【図５】　インクジェットプリンタの従来構成を説明するための斜視図である。
　【図６】　同じく、内部構造を説明するための斜視図である。
　【図７】　同じく、ヘッドギャップ調整動作を説明するための図である。
　【符号の説明】
　２　キャリッジ
　４　キャリッジシャフト
　５　ガイドレール部
　６　インクジェットヘッド
　３１　メンテナンス部
　３２　ワイパー
　３５　キャップ
　４１　姿勢矯正手段
　４２　係合円筒部
　４３　姿勢矯正ガイド